(57)【要約】【課題】ＨＣＦＯ−１２２３ｘｄとオイルとの相溶性の高い組成物、又はＨＣＦＯ−１２２３ｘｄを含む溶剤用、希釈剤用若しくはフッ素系オイルを除去するための洗浄剤用組成物を提供すること。【解決手段】１，２−ジクロロ−３，３，３−トリフルオロプロペン（ＨＣＦＯ−１２２３ｘｄ）及びフッ素系オイルを含む、組成物。【選択図】なし【特許請求の範囲】
【請求項１】
１，２−ジクロロ−３，３，３−トリフルオロプロペン（ＨＣＦＯ−１２２３ｘｄ）及
びフッ素系オイルを含む、組成物。
【請求項２】
１，２−ジクロロ−３，３，３−トリフルオロプロペン（ＨＣＦＯ−１２２３ｘｄ）を
含有する、溶剤用又は希釈剤用組成物。
【請求項３】
オイルを含有する、請求項２に記載の組成物。
【請求項４】
前記オイルはフッ素系オイルである、請求項３に記載の組成物。
【請求項５】
前記ＨＣＦＯ−１２２３ｘｄと前記フッ素系オイルとの質量比が、ＨＣＦＯ−１２２３
ｘｄとフッ素系オイルの合計質量：フッ素系オイルの質量＝１００：０．１〜１００：８
０である、請求項１又は４に記載の組成物。
【請求項６】
前記フッ素系オイルは、パーフルオロポリエーテル、ヒドロフルオロポリエーテル及び
クロロトリフルオロエチレンの低重合物からなる群より選択される１種以上である、請求
項１、４及び５の何れか１項に記載の組成物。
【請求項７】
フッ素系オイルの４０℃における動粘度が、１５ｍｍ２／ｓ以上である、請求項１及び
４〜６のいずれか一項に記載の組成物。
【請求項８】
１，２−ジクロロ−３，３，３−トリフルオロプロペン（ＨＣＦＯ−１２２３ｘｄ）を
含有する、フッ素系オイルを除去するための洗浄剤用組成物。
【請求項９】
フッ素系オイルを除去するために、１，２−ジクロロ−３，３，３−トリフルオロプロ
ペン（ＨＣＦＯ−１２２３ｘｄ）を含有する洗浄剤を用いることを特徴とする、洗浄方法
。
【発明の詳細な説明】
【技術分野】
【０００１】
本開示は、１，２−ジクロロ−３，３，３−トリフルオロプロペン（以下、単にＨＣＦ
Ｏ−１２２３ｘｄともいう。）を含む組成物に関する。
【背景技術】
【０００２】
２０２０年にハイドロフルオロカーボン類に対する規制が強化されることに伴い、その
代替品の開発が急がれている。特にハイドロフルオロカーボン類の使用において大きな課
題となっている環境負荷を考慮し、地球温暖化係数及びオゾン層破壊係数が低く、生物毒
性も低い代替品が望まれている。このような中、ヒドロクロロフルオロオレフィン類（以
下、ＨＣＦＯ類ともいう。）が注目されている。
【０００３】
特許文献１では、ＨＣＦＯ類の一種であるＨＣＦＯ−１２２３ｚａを含有する潤滑剤用
組成物が開示されている。
【０００４】
また、特許文献２及び３では、その他のＨＣＦＯ類であるＨＣＦＯ−１２２３ｘｄが洗
浄剤として有用であることが開示されている。
【先行技術文献】
【特許文献】
【０００５】
【特許文献１】特開２０１６−１６９２５６号公報
【特許文献２】特開平２−２２１３８８号公報
【特許文献３】特開２０１６−１４１７３０号公報
【発明の概要】
【発明が解決しようとする課題】
【０００６】
上記のような事情に鑑み、本開示の目的とするところは、ＨＣＦＯ−１２２３ｘｄとオ
イルとの相溶性の高い組成物、又はＨＣＦＯ−１２２３ｘｄを含む溶剤用、希釈剤用又は
フッ素系オイルを除去するための洗浄剤用組成物を提供することにある。
【課題を解決するための手段】
【０００７】
本発明者らは上記目的を達成すべく鋭意研究を重ねた結果、ＨＣＦＯ−１２２３ｘｄは
フッ素系オイルと相溶性が高く、また、ＨＣＦＯ−１２２３ｘｄを含む組成物を溶剤用、
希釈剤用又はフッ素系オイルを除去するための洗浄剤用組成物として提供可能であること
を見出した。本発明者らは、かかる知見に基づきさらに研究を重ね、本開示を完成するに
至った。
【０００８】
即ち、本開示は、以下の組成物を提供する。
項１．
１，２−ジクロロ−３，３，３−トリフルオロプロペン（ＨＣＦＯ−１２２３ｘｄ）及
びフッ素系オイルを含む、組成物。
項２ａ．
１，２−ジクロロ−３，３，３−トリフルオロプロペン（ＨＣＦＯ−１２２３ｘｄ）を
含有する、溶剤用、希釈剤用組成物。
項２ｂ．
１，２−ジクロロ−３，３，３−トリフルオロプロペン（ＨＣＦＯ−１２２３ｘｄ）
を含有する、溶剤。希釈剤又はフッ素系オイルを除去するための洗浄剤。
項３．
オイルを含有する、項２ａに記載の組成物。
項４．
前記オイルはフッ素系オイルである、項３に記載の組成物。
項５．
前記ＨＣＦＯ−１２２３ｘｄと前記フッ素系オイルとの質量比が、ＨＣＦＯ−１２２３
ｘｄとフッ素系オイルの合計質量：フッ素系オイルの質量＝１００：０．１〜１００：８
０である、項１又は４に記載の組成物。
項６．
前記フッ素系オイルは、パーフルオロポリエーテル、ヒドロフルオロポリエーテル及び
クロロトリフルオロエチレンの低重合物からなる群より選択される１種以上である、項１
、４及び６の何れかに記載の組成物。
項７．
フッ素系オイルの４０℃における動粘度が、１５ｍｍ２／ｓ以上である、項１及び項４
〜９のいずれかに記載の組成物。
項８．
１，２−ジクロロ−３，３，３−トリフルオロプロペン（ＨＣＦＯ−１２２３ｘｄ）を
含有する、フッ素系オイルを除去するための洗浄剤用組成物。
項９．
フッ素系オイルを除去するために、１，２−ジクロロ−３，３，３−トリフルオロプロ
ペン（ＨＣＦＯ−１２２３ｘｄ）を含有する洗浄剤を用いることを特徴とする、洗浄方法
。
【発明の効果】
【０００９】
本開示によれば、ＨＣＦＯ−１２２３ｘｄとオイルとの相溶性の高い組成物、又はＨＣ
ＦＯ−１２２３ｘｄを含む溶剤用又は希釈材用組成物を提供することができる。
【発明を実施するための形態】
【００１０】
本開示の組成物は、１，２−ジクロロ−３，３，３−トリフルオロプロペン（ＨＣＦＯ
−１２２３ｘｄ）及びフッ素系オイルを含む組成物である。
【００１１】
フッ素系オイルとしては、公知のフッ素系オイルを広く採用することが可能であり、特
に限定はない。但し、充分な潤滑性及び塗膜の強度を確保するために、４０℃における動
粘度が１５ｍｍ２／ｓ以上のフッ素系オイルを使用することが好ましく、３０ｍｍ２／ｓ
以上のフッ素系オイルを使用することがより好ましい。具体的には、パーフルオロポリエ
ーテル、ヒドロフルオロポリエーテル及びクロロトリフルオロエチレンの低重合物からな
る群より選択される一種以上を使用することができる。本明細書において、低重合物とは
、その平均分子量が１万程度以下の重合物であると定義される。
【００１２】
本明細書において透明色とは、組成物が均一であり、濁りの生じていない状態であるこ
とと定義される。
【００１３】
フッ素系オイルの含有量は溶解させるオイルの効果を発揮させ、かつ均一な組成物を得
るという理由から、質量比でＨＣＦＯ−１２２３ｘｄとフッ素系オイルの合計質量：フッ
素系オイルの質量＝１００：０．１〜１００：８０であることが好ましく、ＨＣＦＯ−１
２２３ｘｄとフッ素系オイルの合計質量：フッ素系オイルの質量＝１００：１〜１００：
８０であることがより好ましく、ＨＣＦＯ−１２２３ｘｄとフッ素系オイルの合計質量：
フッ素系オイルの質量＝１００：４〜１００：８０であることがさらに好ましく、ＨＣＦ
Ｏ−１２２３ｘｄとフッ素系オイルの合計質量：フッ素系オイルの質量＝１００：２５〜
１００：８０であることがことさら好ましく、ＨＣＦＯ−１２２３ｘｄとフッ素系オイル
の合計質量：フッ素系オイルの質量＝１００：５０〜１００：８０であることが特に好ま
しい。
【００１４】
これまで、ＨＣＦＯ−１２２３ｘｄとフッ素系オイルとの相溶性が優れることは知られ
ていなかったが、本開示の発明者らは、膨大数のＨＣＦＯ類とオイルとの組み合わせを試
行錯誤した結果、驚くべきことに、ＨＣＦＯ−１２２３ｘｄとフッ素系オイルとの組み合
わせであれば、たとえフッ素系オイルの含有量を上述の高濃度に設定しても、濁りが生じ
ることなく、両者の高い相溶性により、透明色の組成物が得られることを見出した。
【００１５】
また本開示の組成物は、地球温暖化係数及びオゾン層破壊係数が低いことにより環境負
荷が極めて少ないだけでなく、生物毒性も低いという利点を有する。
【００１６】
以上にしてなる本開示の組成物は、ＨＣＦＯ−１２２３ｘｄ及びフッ素系オイルの優れ
た相溶性により、溶剤及び希釈剤として使用可能である。特に、ＨＣＦＯ−１２２３ｘｄ
とフッ素系オイルとの相溶性がよく、またこれらの混合液の沸点は適度に高いため、コー
ティング溶液用の溶剤として好適に使用可能である。また、かかる優れた相溶性を得るべ
く、本開示の組成物の沸点は、−１０〜６０℃であることが好ましく、０〜４０℃である
ことがより好ましい。溶剤又は洗浄剤として用いる場合、組成物の沸点がこの温度範囲で
あれば、溶解性が良く、蒸発がより抑制される。
【００１７】
本明細書において、溶剤とは、オイルなどの物質を溶解させる媒体と定義される。また
、本明細書において、希釈剤とは、オイルなどそのままでは流動性が低く加工性が悪かっ
たり、安定性が悪かったりする物質を溶解させて希釈することで課題を解決する溶剤と定
義される。
【００１８】
また、本開示は、１，２−ジクロロ−３，３，３−トリフルオロプロペン（ＨＣＦＯ−
１２２３ｘｄ）を含有する溶剤用、希釈剤用又はフッ素系オイルを除去するための洗浄剤
用組成物（或いは、溶剤、希釈剤又はフッ素系オイルを除去するための洗浄剤）を包含す
る。
【００１９】
かかる溶剤用又は希釈剤用組成物は、オイルを含有することが好ましい。
【００２０】
使用するオイルとしては、溶剤又は希釈剤に使用される公知のオイルを広く採用するこ
とが可能であり、特に限定はない。具体的には、フッ素系オイル、シリコーン系オイル、
鉱物系オイル及びエステル系オイルからなる群より選択される一種以上を使用することが
できる。
【００２１】
フッ素系オイルとしては、公知のフッ素系オイルを広く採用することが可能であり、特
に限定はない。但し、充分な潤滑性及び塗膜の強度を確保するために、４０℃における動
粘度が１５ｍｍ２／ｓ以上のフッ素系オイルを使用することが好ましく、３０ｍｍ２／ｓ
以上のフッ素系オイルを使用することがより好ましい。具体的には、パーフルオロポリエ
ーテル、ヒドロフルオロポリエーテル及びクロロトリフルオロエチレンの低重合物からな
る群より選択される一種以上を使用することができる。本明細書において、低重合物とは
、その平均分子量が１万程度以下の重合物と定義される。また、フッ素系オイルとして、
シリコーンの末端もしくは側鎖にフルオロアルキル基を導入したフルオロシリコーン系オ
イルも例示できる。
【００２２】
シリコーン系オイルとしては、公知のシリコーン系オイルを広く採用することが可能で
あり、特に限定はない。具体的には、ジメチルシリコーン、メチルフェニルシリコーン及
び末端や側鎖に有機基を導入した変性シリコーンからなる群より選択される一種以上を使
用することができる。
【００２３】
鉱物系オイルとしては、公知の鉱物系オイルを広く採用することが可能であり、特に限
定はない。具体的には、パラフィン系オイル、ナフテン系オイル及びポリαオレフィン系
オイルからなる群より選択される一種以上を使用することができる。
【００２４】
エステル系オイルとしては、公知のエステル系オイルを広く採用することが可能であり
、特に限定はない。具体的には、ポリオールエステル系オイル、ジエステル系オイル及び
コンプレックスエステル系オイルからなる群より選択される一種以上を使用することがで
きる。
【００２５】
但し、上述したオイルの中でも、ＨＣＦＯ−１２３３ｘｄとの相溶性に優れるという理
由から、フッ素系オイルを使用することが好ましい。これらの相溶性に優れるＨＣＦＯ−
１２２３ｘｄとフッ素系オイルとの組み合わせを採用することにより、広いオイル濃度、
温度、その他条件において均一で濁りなどの生じない安定した組成物を得ることが可能と
なり、その結果、溶剤用又は希釈剤用組成物として優れた物性を得ることができる。
【００２６】
本開示の溶剤用又は希釈剤用組成物は、上述の通り相溶性に優れるＨＣＦＯ−１２２３
ｘｄとフッ素系オイルとの組み合わせを採用すれば、透明色の溶剤用組成物又は希釈剤用
組成物とすることができる。また、かかる優れた相溶性を得るべく、本開示の溶剤用、希
釈剤用又はフッ素系オイルを除去するための洗浄剤用組成物は、−１０〜６０℃であるこ
とが好ましく、０〜４０℃であることがより好ましい。
【００２７】
また、ＨＣＦＯ−１２２３ｘｄとフッ素系オイルとを含有する溶剤用組成物は、沸点も
適度に高いため、コーティング溶液用の溶剤に好適に使用可能である。
【００２８】
フッ素系オイルの含有量は溶解させるオイルの効果を発揮させ、かつ均一な組成物を得
るという理由から、質量比でＨＣＦＯ−１２２３ｘｄとフッ素系オイルの合計質量：フッ
素系オイルの質量＝１００：０．１〜１００：８０であることが好ましく、ＨＣＦＯ−１
２２３ｘｄとフッ素系オイルの合計質量：フッ素系オイルの質量＝１００：１〜１００：
８０であることがより好ましく、ＨＣＦＯ−１２２３ｘｄとフッ素系オイルの合計質量：
フッ素系オイルの質量＝１００：４〜１００：８０であることがさらに好ましく、ＨＣＦ
Ｏ−１２２３ｘｄとフッ素系オイルの合計質量：フッ素系オイルの質量＝１００：２５〜
１００：８０であることがことさら好ましく、ＨＣＦＯ−１２２３ｘｄとフッ素系オイル
の合計質量：フッ素系オイルの質量＝１００：５０〜１００：８０であることが特に好ま
しい。
【００２９】
また、本開示のＨＣＦＯ−１２２３ｘｄ及びフッ素系オイルを含有する組成物又は１，
２−ジクロロ−３，３，３−トリフルオロプロペン（ＨＣＦＯ−１２２３ｘｄ）を含有す
る、溶剤用、希釈剤用若しくはフッ素系オイルを除去するための洗浄剤用組成物は、さら
に、その他の溶剤を含んでいてもよい。その他の溶剤は、対象物の溶解性をさらに向上さ
せるため等の目的で配合される。
【００３０】
その他の溶剤としては、特に限定されず、幅広く使用することができる。例えば、１，
２−ジクロロエチレン及びイソプロパノール等が挙げられる。本開示の組成物は、その総
量１００質量％に対して、その他の溶剤を０．１〜５０質量％、好ましくは１〜１０質量
％含有することが好ましい。
【００３１】
本開示のＨＣＦＯ−１２２３ｘｄ及びフッ素系オイルを含有する組成物又は１，２−ジ
クロロ−３，３，３−トリフルオロプロペン（ＨＣＦＯ−１２２３ｘｄ）を含有する、溶
剤用、希釈剤用若しくはフッ素系オイルを除去するための洗浄剤用組成物は、さらに、そ
の他の成分を含んでいてもよい。その他の成分として、例えば、酸化防止剤、安定剤、防
腐剤及び界面活性剤等からなる群より選択される一種以上が挙げられる。
【００３２】
本開示のＨＣＦＯ−１２２３ｘｄ及びフッ素系オイルを含有する組成物又は１，２−ジ
クロロ−３，３，３−トリフルオロプロペン（ＨＣＦＯ−１２２３ｘｄ）を含有する、溶
剤用、希釈剤用若しくはフッ素系オイルを除去するための洗浄剤用組成物は、上記とは異
なるものとして、さらに、界面活性剤等を含んでいてもよい。
【００３３】
本開示の組成物は、組成物総量１００質量％中に、前記ＨＣＦＯ−１２２３ｘｄ及びフ
ッ素系オイル総量で１〜１００質量％含まれることが好ましく、５０〜１００質量％含ま
れることがより好ましく、８０〜１００質量％含まれることがさらに好ましい。
【００３４】
また本開示の溶剤用、希釈剤用又はフッ素系オイルを除去するための洗浄剤用組成物は
、地球温暖化係数及びオゾン層破壊係数が低いことにより環境負荷が極めて少ないだけで
なく、生物毒性も低いという利点を有する。
【００３５】
本明細書においてＨＣＦＯ−１２２３ｘｄは、Ｅ体及びＺ体の何れか又は双方を含むも
のと定義される。ＨＣＦＯ−１２２３ｘｄのＥ体及びＺ体の双方を含む場合、その含有比
は特に制限されず、本開示における組成物の課題解決に対する影響もない。また、Ｅ体及
びＺ体の何れか一方のみであっても特に問題はない。例えば、質量比でＥ体：Ｚ体＝０：
１００〜４０：６０にするとよい。
【００３６】
また本開示は、フッ素系オイルを除去するために、１，２−ジクロロ−３，３，３−ト
リフルオロプロペン（ＨＣＦＯ−１２２３ｘｄ）を含有する洗浄剤を用いることを特徴と
する、洗浄方法を包含する。
【００３７】
除去対象のフッ素系オイルとしては、上述したものと同様のものを例示することが可能
であり、特に限定はない。
【００３８】
洗浄剤は、ＨＣＦＯ−１２２３ｘｄ以外にも、必要に応じて、溶剤、酸化防止剤、安定
剤、防腐剤及び界面活性剤等からなる群より選択される一種以上を含んでもよい。これら
の溶剤、酸化防止剤、安定剤、防腐剤及び界面活性剤としては、公知のものを広く採用す
ることが可能であり、特に限定はない。
【００３９】
以上、本開示の実施形態について説明したが、本開示はこうした例に何ら限定されるも
のではなく、本開示の要旨を逸脱しない範囲において種々なる形態で実施し得ることは勿
論である。
【実施例】
【００４０】
以下、実施例に基づき、本開示の実施形態をより具体的に説明するが、本開示がこれら
に限定されるものではない。
【００４１】
＜相溶性＞
（実施例１）
ＨＣＦＯ−１２２３ｘｄに対する、フッ素系オイル（パーフロポリエーテル、ダイキン
工業(株)製デムナムS-65）の溶解性を測定したところ、２５℃でＨＣＦＯ−１２２３ｘｄ
と当該フッ素系オイルの合計質量に対して６５質量％の当該フッ素系オイルが溶解した。
なお当該フッ素系オイルの４０℃における動粘度は６５ｍｍ２／ｓである。
【００４２】
（実施例２）
ＨＣＦＯ−１２２３ｘｄに対し、シリコーン系オイル（ジメチルシリコーンオイル、信
越化学工業(株)製KF-96M）の溶解性を測定したところ、２５℃でＨＣＦＯ−１２２３ｘｄ
と当該シリコーン系オイルの合計質量に対して８０質量％の当該シリコーン系オイルが溶
解した。
【００４３】
（比較例１）
ＨＣＦＯ−１２２３ｚｄ（Z異性体）に対し、フッ素系オイル（ダイキン工業(株)製デ
ムナムS-65）の溶解性を測定したところ、２５℃で当該フッ素系オイルは溶解せず分離し
た。
【００４４】
＜コーティング性＞
（実施例３）
ＨＣＦＯ−１２２３ｘｄに対し潤滑剤として用いるフッ素系オイル（ダイキン工業(株)
製デムナムS-65）を、ＨＣＦＯ−１２２３ｘｄ及びフッ素系オイルとの組成比がそれぞれ
９７質量％及び３質量％になるように添加して溶解させ、得られた溶液を、アルミニウム
の基板に平均厚さ０．５ｍｍとなるようにコーティングした。その後２４〜２７℃で風乾
したところ、均一な潤滑剤塗膜を得ることができた。
【００４５】
＜安定性＞
（実施例４）
ＨＣＦＯ−１２２３ｘｄに対し潤滑剤として用いるフッ素系オイル（ダイキン工業(株)
製デムナムS-65）を、ＨＣＦＯ−１２２３ｘｄ及びフッ素系オイルとの組成比がそれぞれ
５０質量％及び５０質量％になるように添加して溶解させ、得られた溶液を２５℃の環境
下７日間放置した。色、沈殿生成などの変化は見られなかった。
【００４６】
＜洗浄性＞
（実施例５）
５０ｍｍ×５ｍｍ×２ｍｍのガラス製テストピースをフッ素オイル（パーフロポリエー
テル、ダイキン工業(株)製デムナム S-65）中に浸漬したものを、２５℃において１００
ｍｌのＨＣＦＯ−１２２３ｘｄ中に１分間浸漬したあと引き上げると、テストピース上に
残存するフッ素オイルは除去された。
【００４７】
＜生物毒性＞
（実施例６）
ＯＥＣＤガイドラインＮｏ．４３６に基づき、ＨＣＦＯ−１２２３ｘｄのミストについ
て、ラットによる４時間単回吸入ばく露試験をおこなったところ、５ｍｇ／Ｌの濃度のミ
ストをばく露させてもラットの死亡は見られず、ＨＣＦＯ−１２２３ｘｄの急性毒性が低
いことがわかった。